(57)【特許請求の範囲】
【請求項１】
ホルダーにセットするアンビルバーを、切断刃の回転方向に対して所要の角度傾斜させると共に、該切断刃の曲率に合わせて彎曲した状態でセットする平判型製袋機における窓孔切断装置であって、
前記アンビルバーを可撓性を有する材料をもって成形すると共に、アンビルバーのホルダーの下面に、アンビルバーと該アンビルバーの押さえバーを嵌め込む凹部を設け、該凹部の内底のアンビルバーの両端部が当たる位置を中央部よりも所要程度高くなし、前記軸断面台形のアンビルバーの押さえバーをネジ止めすることによってアンビルバーを挟持固定するようになした平判型製袋機における窓孔切断装置。
【発明の詳細な説明】
【０００１】
【発明の属する技術分野】
本発明は、平判型製袋機における窓孔切断装置に関するものである。
【０００２】
【従来の技術】
従来の平判型製袋機における窓孔切断装置にあっては、図７に示す如く、アンビルバー１００が切断刃１０１の回転方向に対して直角にセットされている。尚、１０２は切断刃のホルダーである。
【０００３】
この場合、接触部分が一点になり、よってこの一点に１ｔ以上の大きな荷重がかかることになる。したがって、アンビルバー１００には刃が当たることによるキズがつき易く、そしてキズがある程度深くなるとアンビルバーとして機能しなくなり、交換の必要が生ずる。そしてまた、前記の如く切断刃１０１がアンビルバー１００に強く当たることからキズが深くなる度合いが早く、比較的短期間のうちにキズのない新しいものと交換しなければならなかった。
【０００４】
また、上記の問題点を改善するために、図８に示す如くアンビルバーを切断刃の回転方向に対して所要の角度に傾斜させてセットすることも行われた。しかし、この場合には従来のアンビルバー１００がストレートであるため、例えば切断刃のホルダー１０２にそれの幅方向に離れた２個の切断刃１０１ａ、１０１ｂをセットした場合、一方の切断刃１０１ａと他方の切断刃１０１ｂとでアンビルバー１００への接触度合いが異なることになる。そしてこのため両方の切断刃１０１ａと１０１ｂによる切断が不完全になる虞がある。
【０００５】
【発明が解決しようとする課題】
本発明は上記の点に鑑みなされたものであって、並んで複数の窓孔を切断する場合に、全ての切断刃を均一にアンビルバーに接触するようになし、また切断刃が当たることによりキズが深くなったときには、その位置を回転させてずらし、キズのない部分を選んで切断刃に当てることができるようになした平判型製袋機における窓孔切断装置を提供しようとするものである。
【０００６】
【課題を解決するための手段】
而して、本発明の要旨とするところは、ホルダーにセットするアンビルバーを、切断刃の回転方向に対して所要の角度傾斜させると共に、該切断刃の曲率に合わせて彎曲した状態でセットする平判型製袋機における窓孔切断装置であって、前記アンビルバーを可撓性を有する材料をもって成形すると共に、アンビルバーのホルダーの下面に、アンビルバーと該アンビルバーの押さえバーを嵌め込む凹部を設け、該凹部の内底のアンビルバーの両端部が当たる位置を中央部よりも所要程度高くなし、前記軸断面台形のアンビルバーの押さえバーをネジ止めすることによってアンビルバーを挟持固定するようになした平判型製袋機における窓孔切断装置。にある。
【０００７】
【発明の実施の形態】
以下、本発明の実施の形態について図面を参照しつつ説明する。
図１は本発明で使用するアンビルバーの正面図、図２は本発明の概略的説明図、図３はアンビルバーをセットした状態のアンビルバーのホルダーの底面図、図４は図３中Ａ−Ａ切断部拡大端面図、図５は図３中Ｂ−Ｂ切断部拡大端面図、図６は図３中Ｃ−Ｃ切断部拡大端面図である。
【０００８】
図中、１は可撓性を有する材料をもって成形されたアンビルバーである。また、該アンビルバー１は後記ホルダーに、切断刃の回転方向に対して所要の角度傾斜させると共に、該切断刃の曲率に合わせて彎曲した状態でセットされる。
【０００９】
２はアンビルバーのホルダーである。また、該アンビルバーのホルダー２の下面には、アンビルバー１と該アンビルバーの押さえバー３を嵌め込む凹部４を設け、そして該凹部４の内底のアンビルバー１の両端部が当たる位置を中央部よりも所要程度高くなしている。尚、本実施形態では所要の厚みの当て板５，６を取着することによって高くなしている。これによりアンビルバーの押さえバー３をもって固定したときにアンビルバー１が切断刃の曲率に合わせて自然に彎曲するものである。
【００１０】
そしてまた、該凹部４の一方の側壁４ａとアンビルバーの押さえバー３の一方の側壁３ａとで形成されるアンビルバーの挟持溝７は、図３に示す如く、アンビルバーのホルダー２の軸線に対して所要角度θ傾斜させている。
【００１１】
また、前記アンビルバーの押さえバー３は軸断面台形をなし、傾斜する一方の側壁３ａでアンビルバー１を押し上げると共に凹部４の一方の側壁４ａに向かって押しつける。そしてまた、該アンビルバーの押さえバー３は、アンビルバーのホルダー２の前記凹部４内に固定螺子８をもってネジ止めされる。また、その他図中９は切断刃、１０は切断刃のホルダーである。
【００１２】
次に、上記実施形態の作用について説明する。
本実施形態にあっては、アンビルバー１が切断刃の回転方向に対して所要の角度傾斜させられ且つまた切断刃の曲率に合わせて彎曲しているから、並んで複数の窓孔を切断する場合に、全ての切断刃を均一にアンビルバーに接触させることができるものである。そしてまた、アンビルバーと切断刃との接触部分が広がることから、従来よりもアンビルバーと切断刃との当たりが弱く、もってアンビルバーへの切断刃が当たることによるキズのつき具合を低減することができる。また、切断刃が当たることによるキズが深くなったときには、固定螺子８を回してアンビルバーの押さえバー３による押し付けをゆるめ、そしてこの状態においてアンビルバー１を回転させてずらし、キズのない部分が下の位置になったら再び固定螺子８を締め付け方向にネジ回すものである。これによりキズのない部分を選びながら何回でも使用することができるものである。また、アンビルバーの押さえバー３を再び元の位置に戻すと、アンビルバー１はその両端部が当て板５、６に当たって下に押し曲げられ、自然に彎曲するものである。
【００１３】
【発明の効果】
本発明は上記の如き構成、作用であるから、並んで複数の窓孔を切断する場合に、全ての切断刃を均一にアンビルバーに接触させることができるものである。そしてまた、アンビルバーと切断刃との接触部分が広がることから、従来よりもアンビルバーと切断刃との当たりが弱く、もってアンビルバーへ切断刃が当たることによるキズのつき具合を低減することができるものである。また、アンビルバーについた切断刃の当たりによるキズが深くなったときには、その位置を回転させてずらし、キズのない部分を選んで切断刃に当てることができるようにしているから、従来の如く一回深いキズがついたら新しいものと交換する無駄を省くことができるものである。
【図面の簡単な説明】
【図１】  本発明に使用するアンビルバーの正面図である。
【図２】  本発明の概略的説明図である。
【図３】  アンビルバーをセットした状態のアンビルバーのホルダーの底面図である。
【図４】  図３中Ａ−Ａ切断部拡大端面図である。
【図５】  図３中Ｂ−Ｂ切断部拡大端面図である。
【図６】  図３中Ｃ−Ｃ切断部拡大端面図である。
【図７】  従来のアンビルバーと切断刃との接触状態の説明図である。
【図８】  図７と異なる従来例のアンビルバーと切断刃との接触状態の説明図である。
【符号の説明】
１  アンビルバー
２  アンビルバーのホルダー
３  アンビルバーの押さえバー
４  凹部
５、６  当て板
７  アンビルバーの挟持溝
８  固定螺子
９  切断刃
１０  切断刃のホルダー                                                      ．
【図１】
0004405100.tif 000002
【図２】
0004405100.tif 000003
【図３】
0004405100.tif 000004
【図４】
0004405100.tif 000005
【図５】
0004405100.tif 000006
【図６】
0004405100.tif 000007
【図７】
0004405100.tif 000008
【図８】
0004405100.tif 000009